(57)【要約】【課題】水密性の良い吐水装置を提供する。【解決手段】吐水装置１０は、先端側に吐水口２１を有する吐水管２０と、吐水管２０の基端部２２と連結し、吐水管２０の管軸方向と直交する右方向へ延びており、裏側に収納部３６を有する台座部材３０と、台座部材３０の裏側から収納部３６を覆い、台座部材３０の内周面３８に水密に装着された蓋部材４０と、を備えている。【選択図】図２
2020063632.tif 000002
【特許請求の範囲】
【請求項１】
先端側に吐水口を有する吐水管と、
前記吐水管の基端部と連結し、少なくとも一部が前記吐水管の管軸方向と直交する方向へ延びており、裏側に収納部を有する台座部材と、
前記台座部材の裏側から前記収納部を覆い、前記台座部材の内周面に水密に装着された蓋部材と、を備えた吐水装置。
【請求項２】
前記蓋部材は、外周壁を有し、
前記台座部材の内側には、前記内周面と間隔を空けて対向する対向面を有し、
前記外周壁は、前記内周面と前記対向面との間に嵌合する請求項１に記載の吐水装置。
【請求項３】
前記蓋部材の外周面は、弾性変形可能な軟質の凸部を一体で有する請求項１又は２に記載の吐水装置。
【請求項４】
前記吐水管の基端部の下方に、被取付け部を上下方向に貫通した貫通孔を挿通し、前記被取付け部を上下方向で挟持する取付け部を備え、
前記蓋部材は、前記取付け部が挿通する開口部が形成された、弾性変形可能な軟質材からなり、
前記蓋部材の前記開口部の周辺部分は、前記開口部から離れた部分よりも下方へ突出している請求項１乃至３のいずれか１項に記載の吐水装置。
【請求項５】
前記蓋部材の前記開口部の周辺部分は、前記被取付け部が前記取付け部により上下方向で挟持されることにより、前記被取付け部と前記取付け部との間で圧接して潰れる請求項４に記載の吐水装置。
【発明の詳細な説明】
【技術分野】
【０００１】
本発明は、吐水装置に関する。
【背景技術】
【０００２】
特許文献１には、カウンターに取り付けられた吐水装置（自動水栓）が開示されている。この吐水装置は、台座部材（ベースプレート）と、シール部材とを備えている。この吐水装置は、台座部材の周縁部と、カウンターの表面との間で、シール部材を圧接することで、カウンターに水密に取り付けられる。
【先行技術文献】
【特許文献】
【０００３】
【特許文献１】特開平１１−６１９１８号公報
【発明の概要】
【発明が解決しようとする課題】
【０００４】
特許文献１の吐水装置では、シール部材が台座部材とカウンターとの間で十分に圧接されないと、水密性を確保できない。すなわち、台座部材の水密性は、吐水装置の取り付け強度に依ってしまう。一方、十分な取り付け強度を確保できないような場合、予め台座部材の周縁部を肉厚にし、周縁部とシール部材との接触面積を大きくしておくことも考えられるが、台座部材が大型化してしまう。
【０００５】
本発明は、このような事情を鑑み、水密性の良い吐水装置を提供することを目的とする。
【課題を解決するための手段】
【０００６】
本発明の吐水装置は、
先端側に吐水口を有する吐水管と、
前記吐水管の基端部と連結し、少なくとも一部が前記吐水管の管軸方向と直交する方向へ延びており、裏側に収納部を有する台座部材と、
前記台座部材の裏側から前記収納部を覆い、前記台座部材の内周面に水密に装着された蓋部材と、を備えたことを特徴とする。
【０００７】
本発明の吐水装置によれば、蓋部材は、台座部材の裏側から収納部を覆い、台座部材の内周面に水密に装着されているので、被取付け部への取り付け強度に依らずに、収納部の水密性を確保できる。したがって、水密性の良い吐水装置を提供することができる。
【図面の簡単な説明】
【０００８】
【図１】本発明の実施例１に係る吐水装置がカウンターに取り付けられた状態を示す斜視図である。
【図２】吐水装置の取付け部分を示す断面図である。
【図３】吐水装置を示す分解図である。
【図４】吐水装置の台座部材周辺を示す拡大正面図である。
【図５】蓋部材を示し、（Ａ）は正面図、（Ｂ）は平面図、（Ｃ）は斜め上方から見た斜視図である。
【発明を実施するための形態】
【０００９】
本発明における好ましい実施の形態を説明する。
本発明の吐水装置において、前記蓋部材は、外周壁を有し、前記台座部材の内側には、前記内周面と間隔を空けて対向する対向面を有し、前記外周壁は、前記内周面と前記対向面との間に嵌合していてもよい。
【００１０】
このような吐水装置によれば、蓋部材の外周壁が、内周面と対向面との間に嵌合することにより、蓋部材が台座部材から外れにくくなり、収納部の水密性をさらに確保できる。したがって、さらに水密性の良い吐水装置となる。
【００１１】
本発明の吐水装置において、前記蓋部材の外周面は、弾性変形可能な軟質の凸部を一体で有してもよい。
【００１２】
このような吐水装置によれば、蓋部材を台座部材の内周面に装着する際、凸部が弾性変形して潰れることにより、水密性をさらに確保できる。したがって、さらに水密性の良い吐水装置となる。
【００１３】
本発明の吐水装置は、前記吐水管の基端部の下方に、被取付け部を上下方向に貫通した貫通孔を挿通し、前記被取付け部を上下方向で挟持する取付け部を備え、前記蓋部材は、前記取付け部が挿通する開口部が形成された、弾性変形可能な軟質材からなり、前記蓋部材の前記開口部の周辺部分は、前記開口部から離れた部分よりも下方へ突出してもよい。
【００１４】
このような吐水装置によれば、蓋部材は、弾性変形可能な軟質材であり、蓋部材の開口部の周辺部分は、下方へ突出しているので、被取付け部の上面に当接する際、蓋部材の開口部の周辺部分が弾性変形して潰れることで緩衝となる。これにより、取付け部が被取付け部を上下方向で挟持する際に、取付け部に対して過度な力が加わることを抑えることができ、安定して吐水装置を取り付けることができる。また、取付け部周辺の水密性を確保できる。したがって、さらに水密性の良い吐水装置となる。
【００１５】
また、本発明の吐水装置において、前記蓋部材の前記開口部の周辺部分は、前記被取付け部が前記取付け部により上下方向で挟持されることにより、前記被取付け部と前記取付け部との間で圧接して潰れてもよい。
【００１６】
このような吐水装置によれば、蓋部材の開口部の周辺部分が上下から圧接されて弾性変形して潰れることにより、取付け部周辺の水密性をさらに確保できる。したがって、さらに水密性の良い吐水装置となる。
【００１７】
次に、本発明を具体化した実施例について、図面を用いて説明する。
なお、以下の説明では、上下方向は、図１、図２、図４に表れる向きをそのまま上下方向とする。また、左右方向は、図２、図４に表れる向きをそのまま左右方向とする。
【００１８】
＜実施例１＞
実施例１における吐水装置１０は、吐水管２０と、台座部材３０と、蓋部材４０と、取付け部５０と、を備える。
吐水装置１０の被取付け部であるカウンター７０は、図１及び図２に示すように、上下方向に貫通した貫通孔７１が形成されている。吐水装置１０は、取付け部５０が貫通孔７１を挿通し、カウンター７０の上面７２と下面７３とを上下方向で挟持することにより、取り付けられる。
また、吐水装置１０は、カウンター７０の下方に図示しない給水源に接続された電磁弁と、電磁弁を制御する制御部と、を備えている。
【００１９】
吐水管２０は、基端部２２が台座部材３０の上面３１に載置して接続されており、基端部２２から上方へ延び、Ｕ字状に湾曲して先端側が下方へ向いた、いわゆるグースネック形状をしている。また、吐水管２０の内部には、給水ホース２３が収容されている。給水ホース２３は、カウンター７０の下方へ延びており、図示しない電磁弁と接続している。
吐水管２０の先端側には、図示しない下方へ向いた吐水口２１と、吐水口２１の下方を検知領域とするセンサと、を有している。センサは、手や物を検知した場合、ハーネス２４を介して検知信号を制御部へ送信する。ハーネス２４は、吐水管２０の内部に収容され、カウンターの下方へ延びており、図示しない制御部と接続している。制御部は、検知信号に基づき電磁弁を開弁し、水が給水ホース２３を通じて吐水口２１から吐出される。
【００２０】
台座部材３０は、薄い箱形状であり、カウンター７０の上面７２に配置される。台座部材３０の上面３１は、吐水管２０の基端部２２を載置している。また、台座部材３０は、吐水管２０の下方に、後述する取付け部５０を挿入する開口部３２が形成されている。さらに、台座部材３０は、吐水管２０の管軸方向と直交する右方向へ延びた外観を有し、その延びた部分の上面３３に、２つの押しボタン３４を有している。また、台座部材３０の延びた部分の裏側３５には、図２に示すように、収納部３６を有している。収納部３６は、押しボタン３４と接続された図示しない回路基板を収納している。回路基板は、押しボタン３４が操作された場合、ハーネス３７を介して操作信号を制御部へ送信する。ハーネス３７は、収納部３６からカウンター７０の下方へ延びており、図示しない制御部と接続している。制御部は、操作信号に基づき電磁弁を制御する。
【００２１】
台座部材３０の内側には、全周に連続した内周面３８を有している。また、台座部材３０の内側には、内周面と間隔を空けて対向する対向面３９をいくつか有している。具体的には、収納部３６の外周面は、台座部材３０の内周面と対向する対向面３９である。また、後述する取付け部５０のリング部材５５の外周面も、台座部材３０の内周面と間隔を空けて対向する対向面３９になっている。
【００２２】
台座部材３０の裏側には、蓋部材４０が装着されている。蓋部材４０は、弾性変形可能な軟質材からなり、図５に示すように、底面が平坦な基板部４１を有している。また、蓋部材４０の外周には、上方へ立ち上がった外周壁４２を連続して有しており、蓋部材４０の外周は、台座部材３０の内周に沿った略同形状となっている。さらに、蓋部材４０の外周面には、弾性変形可能な軟質の凸部４３を全周に亘って一体で有している。蓋部材４０は、外周壁４２が台座部材３０の内周面３８と対向面３９との間に挿入されて嵌合することにより、台座部材３０に装着されている。また、蓋部材４０の基板部４１は、台座部材３０の裏側から収納部３６を覆うと共に、凸部４３が台座部材３０の内周面３８に圧接して弾性変形し、凸部４３が潰れることにより、水密に装着されている。
【００２３】
また、蓋部材４０は、台座部材３０と同様に、吐水管２０の基端部２２の下方において、後述する取付け部５０を挿入する開口部４４が形成されている。さらに、蓋部材４０の基板部４１には、取付け部５０と収納部３６との間の位置に、上方へ突出した隔壁部４５を有している。隔壁部４５は、収納部３６の外周面と、後述する取付け部５０のリング部材５５の外周面との間に挿入されて嵌合している。なお、隔壁部４５の端部４６は、外周壁４２から間隔を空けて空間を形成しており、この空間に、収納部３６から延びたハーネス３７が挿通し、ハーネス３７は、開口部４４を挿通してカウンター７０の下方へ延びる。
【００２４】
さらに、蓋部材４０の開口部４４の周辺部分は、開口部４４から離れた部分である収納部３６の下方部分よりも下方へ突出した肉厚部４７を有している。肉厚部４７は、図４に示すように、台座部材３０の下面から下方へ大きく突出している。また、肉厚部４７は、収納部３６から遠ざかる左方向に向かうにつれて、下方への突出量が大きくなっており、収納部３６から遠ざかる左方向に向かって傾斜している。
【００２５】
吐水管２０の基端部２２には、図２及び図３に示すように、取付け部５０を有している。取付け部５０は、ボルト５１と、リング部材５５と、リング部材用ナット５８と、馬蹄金具６１と、締結ナット６７と、を備えている。
ボルト５１は、頭部５２が吐水管２０の基端部２２に形成された挿入部２５に挿入され、吐水管２０の基端部２２から下方へ延びている。また、ボルト５１は、外周に雄ネジ部５３が形成されており、径方向の一部が切り欠かれた平面部５４が形成されている。
リング部材５５は、ボルト５１を挿通する貫通孔５６が上下方向に形成されている。リング部材５５は、貫通孔５６にボルト５１を挿通すると共に、下方からリング部材用ナット５８をボルト５１の雄ネジ部５３に螺合することにより、吐水管２０の基端部２２とリング部材用ナット５８とで上下方向に挟持されて固定されている。リング部材５５の下面５７は、蓋部材４０の上面と当接し、蓋部材４０を介してカウンター７０の上面７２を圧接する面となる。
【００２６】
馬蹄金具６１は、上面６６が傾斜した山形状であり、金属製の本体金具６２の上方から、樹脂製のカバー部材６３が覆うように取り付けられている。また、馬蹄金具６１は、ボルト５１を挿通する貫通孔６４が上下方向に形成されており、貫通孔６４の内周には、ボルト５１の平面部５４と係合する平面部６５が形成されている。馬蹄金具６１は、ボルト５１に対して、上下方向に摺動可能に挿通されていると共に、ボルト５１の平面部６５と係合することにより、回転不能に係合している。馬蹄金具６１の上面６６は、カウンター７０の貫通孔７１の下側開口を圧接する面となる。
締結ナット６７は、内周に雌ねじ部６８が形成されており、ボルト５１の雄ネジ部５３と螺合すると共に、上面が馬蹄金具６１の下面と当接し、馬蹄金具６１をカウンター７０の下面側へ押し上げる。
締結ナット６７を締結していくと、リング部材５５の下面５７と馬蹄金具６１の上面６６とでカウンター７０を上下方向で挟持し、吐水装置１０がカウンター７０に取り付けられる。その際、蓋部材４０の開口部４４の周辺部分は、リング部材５５の下面５７とカウンター７０の上面７２との間で圧接して潰れる。
【００２７】
なお、上述したとおり、台座部材３０の収納部３６は、台座部材３０の裏側から蓋部材４０が覆うと共に、収納部３６の周辺は、台座部材３０の内周面３８に蓋部材４０が水密に装着されているので、取付け部５０によって、蓋部材４０をカウンター７０の上面７２へ圧接して潰さずとも、収納部３６の周辺の水密性は確保されている。よって、台座部材３０の周縁の下面と、カウンター７０の上面７２との間でシール部材などを潰し、水密にする必要はない。
【００２８】
次に、実施例１の作用及び効果について、説明する。
実施例１の吐水装置１０は、先端側に吐水口２１を有する吐水管２０と、吐水管２０の基端部２２と連結し、吐水管２０の管軸方向と直交する右方向へ延びており、裏側に収納部３６を有する台座部材３０と、台座部材３０の裏側から収納部３６を覆い、台座部材３０の内周面３８に水密に装着された蓋部材４０と、を備えている。
【００２９】
このような吐水装置１０によれば、蓋部材４０は、台座部材３０の裏側から収納部３６を覆い、台座部材３０の内周面３８に水密に装着されているので、カウンター７０への取り付け強度に依らずに、収納部３６の水密性を確保できる。したがって、水密性の良い吐水装置１０となる。
【００３０】
また、実施例１の吐水装置１０において、蓋部材４０は、外周壁４２を有し、台座部材３０の内側には、内周面３８と間隔を空けて対向する対向面３９を有し、外周壁４２は、内周面３８と対向面３９との間に嵌合している。
【００３１】
このような吐水装置１０によれば、蓋部材４０の外周壁４２が、内周面３８と対向面３９との間に嵌合することにより、蓋部材４０が台座部材３０から外れにくくなり、収納部３６の水密性をさらに確保できる。したがって、さらに水密性の良い吐水装置１０となる。
【００３２】
また、実施例１の吐水装置１０において、蓋部材４０の外周面は、弾性変形可能な軟質の凸部４３を一体で有している。
【００３３】
このような吐水装置１０によれば、蓋部材４０を台座部材３０の内周面３８に装着する際、凸部４３が弾性変形して潰れることにより、水密性をさらに確保できる。したがって、さらに水密性の良い吐水装置１０となる。
【００３４】
また、実施例１の吐水装置１０は、吐水管２０の基端部２２の下方に、カウンター７０を上下方向に貫通した貫通孔７１を挿通し、カウンター７０を上下方向で挟持する取付け部５０を備え、蓋部材４０は、取付け部５０が挿通する開口部４４が形成された、弾性変形可能な軟質材からなり、蓋部材４０の開口部４４の周辺部分は、開口部４４から離れた部分よりも下方へ突出している。
【００３５】
このような吐水装置１０によれば、蓋部材４０は、弾性変形可能な軟質材であり、蓋部材４０の開口部４４の周辺部分は、下方へ突出しているので、カウンター７０の上面７２に当接する際、蓋部材４０の開口部４４の周辺部分が弾性変形して潰れることで緩衝となる。これにより、取付け部５０がカウンター７０を上下方向で挟持する際に、取付け部５０に対して過度な力が加わることを抑えることができ、安定して吐水装置１０を取り付けることができる。また、取付け部５０周辺の水密性を確保できる。したがって、さらに水密性の良い吐水装置１０となる。
【００３６】
また、実施例１の吐水装置１０において、蓋部材４０の開口部４４の周辺部分は、カウンター７０が取付け部５０により上下方向で挟持されることにより、カウンター７０と取付け部５０との間で圧接して潰れている。
【００３７】
このような吐水装置１０によれば、蓋部材４０の開口部４４の周辺部分が上下から圧接されて弾性変形して潰れることにより、取付け部５０周辺の水密性をさらに確保できる。したがって、さらに水密性の良い吐水装置１０となる。
【００３８】
＜他の実施例＞
本発明は、上記記述及び図面によって説明した実施例に限定されるものではなく、次のような実施例も本発明の技術的範囲に含まれる。
（１）実施例１では、吐水装置１０は、吐水管２０の先端側にセンサを有しているが、手動操作部で吐止水を操作する吐水装置でも良い。
（２）実施例１では、台座部材３０は、薄い箱形状で、左側に吐水管２０の基端部２２が接続され、右側に押しボタン３４を有しているが、台座部材３０の形状は、吐水管２０の基端部２２との連結部分から、吐水管２０の管軸方向と直交する全周方向へ延びた形状であっても良い。
（３）実施例１では、蓋部材４０の外周壁４２が、台座部材３０の内周面３８と対向面３９との間に嵌合するが、蓋部材４０は、外周壁４２を有していなくても良く、蓋部材４０が台座部材３０にスナップフィットやネジなどで固定して装着されていても良い。
（４）実施例１では、蓋部材４０の外周面に凸部４３を一体で有しているが、弾性変形可能なシール部材を別部品として備え、蓋部材４０がシール部材を台座部材３０の内周面３８に圧接して潰れることにより、水密に装着するものでも良い。
（５）実施例１では、蓋部材４０は、弾性変形可能な軟質材からなり、台座部材３０の内周面に水密に装着されると共に、カウンター７０の貫通孔７１の周辺部分も水密にしているが、カウンター７０の貫通孔７１の周辺部分の水密性は、蓋部材以外の別部品で確保するようにしても良い。
【符号の説明】
【００３９】
１０…吐水装置
２０…吐水管
２１…吐水口
２２…基端部
３０…台座部材
３６…収納部
３８…内周面
３９…対向面
４０…蓋部材
４２…外周壁
４３…凸部
５０…取付け部
７０…カウンター（被取付け部）
７１…貫通孔
【図１】
2020063632.tif 000003
【図２】
2020063632.tif 000004
【図３】
2020063632.tif 000005
【図４】
2020063632.tif 000006
【図５】
2020063632.tif 000007